(57)【要約】      （修正有）【課題】太陽光パネルをいろいろな多くの建築物（戸建住宅や高層ビルや植物栽培ハウス等を含む）の屋根や壁として利用する建築構造を提供する。【解決手段】市販の太陽光パネルのアルミ枠にアルミの平板の額縁状と、太陽光パネル上部引っ掛け金具と、太陽光パネル左右引っ掛け金具と、太陽光パネル下部取付ナットと、で構成され、簡単な工具で取り付け取り外しができる、太陽光パネル取り付け治具を備える。【選択図】図１２
2018193822.tif 000002
【特許請求の範囲】
【請求項１】
市販の太陽光パネル（両面ガラス）のアルミ枠にアルミの平板（フラットバー）の額縁状と太陽光パネル上部引っ掛け金具１と太陽光パネル左右引っ掛け金具１と太陽光パネル下部取付ナットで構成され、簡単な工具で取り付け取り外しができ、軽量で高強度な太陽光パネル取り付け治具。
【請求項２】
アルミの平板（フラットバー）を幅広の面を上下に額縁の様に市販の前記太陽光パネル（両面ガラス）と外径が同じ大きさにしてアルミ溶接で接続し、上部のアルミの平板（フラットバー）には前記太陽光パネル上部引っ掛け金具１を３箇所以上取り付け、左右のアルミの平板（フラットバー）には前記太陽光パネル左右引っ掛け金具１を左右対称に左右各２箇所以上取り付け、下部のアルミの平板（フラットバー）には前記太陽光パネル下部取付ナットを３箇所以上溶接で固定され、その額縁状のアルミの平板（フラットバー）を市販の前記太陽光パネル（両面ガラス）の取り付け穴にて太陽光パネル取り付け治具連結ボルトで合体される請求項１に記載の太陽光パネル取り付け治具。
【請求項３】
前記太陽光パネル取り付け冶具の下部のアルミの平板（フラットバー）には内側に侵入した雨水を排水する為に２箇所に切り込みを入れている請求項１と請求項２に記載の太陽光パネル取り付け治具。
【請求項４】
前記太陽光パネル（両面ガラス）と合体した前記太陽光パネル取り付け治具を防水・防塵・防滴・高断熱・高強度に受ける為、太陽光パネル上部引っ掛け金具２と太陽光パネル左右引っ掛け金具２と前記太陽光パネル下部取付ボルト（防水タイプ）と太陽光パネル受け冶具防水用額縁と太陽光パネル受け冶具シリコンパッキンと太陽光パネル受け冶具外周防水シリコンパッキンと太陽光パネル受け冶具内周防水シリコンパッキンと太陽光パネル受け冶具連結ボルトと太陽光パネル受け冶具固定ボルトで構成された太陽光パネル受け冶具（金属製・樹脂製）。
【請求項５】
前記太陽光パネル上部引っ掛け金具２と前記太陽光パネル左右引っ掛け金具２と前記太陽光パネル下部取付ボルト（防水タイプ）で簡単にしっかりと前記太陽光パネル取り付け治具と室内より合体できる請求項４に記載の太陽光パネル受け冶具（金属製・樹脂製）。
【請求項６】
前記太陽光パネル受け冶具防水用額縁に取り付けた前記太陽光パネル受け冶具シリコンパッキンが前記太陽光パネル（両面ガラス）の内側に接触し、戸建住宅の内側を防塵・防水にする請求項４と請求項５に記載の太陽光パネル受け冶具（金属製・樹脂製）。
【請求項７】
前記太陽光パネル受け冶具（金属製・樹脂製）は前記太陽光パネル（両面ガラス）と一対一で構成され太陽光パネル受け冶具外周防水シリコンパッキン用の溝と太陽光パネル受け冶具内周防水シリコンパッキン用の溝とが凸凹になり前記太陽光パネル受け冶具（金属製・樹脂製）の下側タイプと上側タイプで交互に外周を重ねていき連結され、同様に一番外側の太陽光パネル受け冶具用外周立下り防水化粧材も下側タイプと上側タイプで交互に外周を重ねていき室内より連結できる請求項４〜請求項６に記載の太陽光パネル受け冶具（金属製・樹脂製）。
【請求項８】
前記太陽光パネル受け冶具外周防水シリコンパッキンと前記太陽光パネル受け冶具内周防水シリコンパッキンとが太陽光パネル受け冶具外周防水シリコンパッキン用の溝と太陽光パネル受け冶具内周防水シリコンパッキン用の溝とが凸凹になった場所にシリコンパッキンが入り、前記太陽光パネル受け冶具連結ボルトで室内より連結と前記戸建住宅の内側を防塵・防水をする請求項４〜請求項７に記載の太陽光パネル受け冶具（金属製・樹脂製）。
【請求項９】
前記太陽光パネル受け冶具用外周立下り防水化粧材の雨水流れ出し方向に太陽光パネル受け冶具用外周立下り防水化粧材用雨樋取り付け金具を取り付け、前記太陽光パネル受け冶具固定ボルトでしっかりと前記戸建住宅内部の太陽光パネルPV配線・空気流動用角パイプと室内より合体できる請求項４〜請求項８に記載の太陽光パネル受け冶具（金属製・樹脂製）。
【請求項１０】
太陽光パネルPV配線・空気流動用角パイプ取付金具と太陽光パネルPV配線・空気流動用穴と太陽光パネル北側PV配線・空気流動用角パイプと太陽光パネル南側PV配線・空気流動用角パイプと太陽光パネル空気流動用丸パイプで構成され、太陽光パネルの屋根と壁受け角材と前記太陽光パネルPV配線・空気流動用角パイプ取付金具で室内より取り付け合体できる太陽光パネルPV配線・空気流動用角パイプ。
【請求項１１】
前記太陽光パネルPV配線・空気流動用角パイプには太陽光パネルPV配線がPV配線用延長ケーブルと専用コネクターにて繋がれ前記太陽光パネルPV配線・空気流動用穴より前記太陽光パネルPV配線・空気流動用角パイプの中に入り前記太陽光パネル北側PV配線・空気流動用角パイプで一階のパワーコンディショナに入り結線される請求項１０に記載の太陽光パネルPV配線・空気流動用角パイプ。
【請求項１２】
前記太陽光パネル北側PV配線・空気流動用角パイプと前記太陽光パネル南側PV配線・空気流動用角パイプの一階床下の角パイプの入り口には空気流動用ファンが取り付けられ冷えた空気が圧送され、前記太陽光パネルPV配線・空気流動用角パイプの前記太陽光パネルPV配線・空気流動用穴より屋根や壁全体に広がり、一番高い場所に取りつられている前記太陽光パネル空気流動用丸パイプの先端より排出される請求項１０と請求項１１に記載の太陽光パネルPV配線・空気流動用角パイプ。
【請求項１３】
複数の色々な形状を組み合わせた角材と太陽光パネルの屋根と壁受け角材用内側補強リブと太陽光パネル下部取付ボルト（防水タイプ）用貫通穴と耐火性断熱材（ポリカーボネート）取付用埋め込みナットで構成された太陽光パネルの屋根と壁受け角材。
【請求項１４】
前記太陽光パネルの屋根と壁受け角材の外側には太陽光パネル（両面ガラス）1枚を基準とした複数枚で請求項１〜請求項１２で構成される蜂の巣の様な構造の戸建住宅の屋根や戸建住宅の壁が取り付き、内側には前記戸建住宅の骨組みの柱が合体する請求項１３に記載の太陽光パネルの屋根と壁受け角材。
【請求項１５】
透明中空ポリカーボネート（１０mm）を２０mm間隔で４層が組み付けられた外側部と透明中空ポリカーボネート（１０mm）を２０mm間隔で３層が組み付けられた内側部で構成され最初の外側部の4層を耐火性断熱材（ポリカーボネート）取付用ボルト／ナットで室内より固定し、その上に内側部の３層を1枚ずつ前記耐火性断熱材（ポリカーボネート）取付用ボルト／ナットに更に前記耐火性断熱材（ポリカーボネート）取付用ボルト／ナットとボルトで室内より固定し、室内が非常に明るく、断熱気密性（計算値では熱還流率UA値０．３５W/平方メートル・K）が高く、耐火性に優れ長寿命に使用でき前記戸建住宅の屋根や前記戸建住宅の壁に利用できる透明耐火性断熱材（ポリカーボネート）。
【発明の詳細な説明】
【技術分野】
【０００１】
本発明は、市販されている太陽光パネルを簡単に室内より組み付けて、前記太陽光パネルを完全防塵・防水構造で断熱気密性が高く、戸建住宅の屋根や壁として利用し、工場で加工されたそれぞれの部位を現場で室内より組み付ける事が施工時間を極端に少なくし、前記戸建住宅の内側から屋根と壁の施工を折りたたみ式の仮足場を前記太陽光パネルの取り付け枠に引っ掛けて外部の作業が簡単に出来る為、外部の工事用仮設足場が不要になり安全で施工費用を低コストにし、同時に壁の発電効率は期待できないが過積載の10kW未満の低圧太陽光発電もする。
更に、内側から簡単な工具で取り付け・取り外しができ前記太陽光パネルの交換時や故障時や点検時の取り付け・取外しが安全で簡単で、前記戸建住宅の室内が採光用のガラス窓が不要な位に非常に明るい、且つ、熱や強風や豪雨・豪雪や寒冷地等でも長寿命に使用し、耐火性と断熱気密性（計算値では熱還流率UA値０．３５W/平方メートル・K）が高く、国が推進しているZEH（ネット・ゼロ・エネルギー・ハウス）の強化外皮基準では地域により熱還流率UA値０．４〜０．６W/平方メートル・K相当以下であるから極寒地域の最低の熱還流率UA値０．４W/平方メートル・K以下になる。
前記戸建住宅の火災時にも内部から火災が発生しても燃える木材以外に溶ける材料は有るが、前記太陽光パネルの屋根と壁の外気が触れる部分は全て金属か不燃樹脂かガラスの為、隣家に燃え広がる材料がない、又外部からの火災でも屋根や壁に火のこが飛んできても前記太陽光パネルの屋根と壁の外気が触れる部分は全て金属か不燃樹脂かガラスの為、発火はしない前記戸建住宅の建築構造に関するものである。
【背景技術】
【０００２】
現在の太陽光パネルは太陽光のエネルギーを利用し、太陽光発電をし、少しでも発電効率の高い電気エネルギーを得ることだけを目的にする。
【０００３】
太陽光パネルの屋根と壁の外気が触れる部分は全て金属か不燃樹脂かガラスの為、火災時には非常に優れた役割を果たすが、現在では前記太陽光パネルを屋根材や壁材として利用していないに等しい。
【０００４】
現在の戸建住宅では室内の明るさを得るためにガラス窓を利用しているのが一般的ではあるが断熱気密性の高い、国が求めている省エネルギーのエコ住宅として前記ガラス窓は出来るだけ少ない事が望ましい。
【先行技術文献】
【特許文献】
【０００５】
【特許文献１】特許公開２０１６−２２３１８９号公報
【特許文献２】特許公開２０１６−２１７０８０号公報
【特許文献３】特許公開２０１４−２１９１９６号公報
【特許文献４】特許公開２０１３−１４５０８１号公報
【特許文献５】特許公開２０１３−１３６８７７号公報
【特許文献６】特許公開２０１３−１２３０１７号公報
【特許文献７】特許公開２０１０−２３０１９７号公報
【発明の概要】
【発明が解決しようとする課題】
【０００６】
太陽光パネルを新築の戸建住宅の新規取り付け工事の時に施工時間が多くかかり高コストで、前記太陽光パネルの故障時や点検時にメンテナンスがやり辛く時間とコストが掛かる。
【０００７】
前記太陽光パネルの現状の施工方法では防塵・防水性に問題があり前記太陽光パネルの他に屋根材や壁材を必要とする。
【０００８】
現在の前記戸建住宅では室内の明るさを得るためにガラス窓を利用しているのが一般的である。
【課題を解決するための手段】
【０００９】
本発明は、課題を解決する為に以下の手段をとった。
戸建住宅の太陽光パネルの取り付け時間を短縮する為、内部から簡単な工具で取り付けを可能にした。故障時や点検時や交換時の取外しも取り付け時と同様短時間に内部から簡単な工具で取外しを可能にする。
尚、防塵・防水性と熱や強風や豪雨・豪雪や寒冷地等でも断熱気密性や耐火性と長寿命を確保する事と明るい家の為に屋根や壁等に前記太陽光パネルを使用する。
【発明の効果】
【００１０】
本発明は、太陽光パネルをいろいろな多くの建築物（戸建住宅や高層ビルや植物栽培ハウス等を含む）の屋根や壁として利用し、断熱気密性（計算値では熱還流率UA値０．３５W/平方メートル・K）が高い住宅や太陽光発電にも利用でき、前記太陽光パネルの屋根と壁の施工が全て内側から出来る事がトータル的には建設費を抑え、採光用のガラス窓が必要としない位室内が明るい、更に、火災時に内部から火災が発生しても燃える木材以外に溶ける材料は有るが、前記太陽光パネルの屋根と壁の外気が触れる部分は全て金属か不燃樹脂かガラスの為、隣家に燃え広がる材料がない、又外部からの火災でも屋根や壁に火のこが飛んできても前記太陽光パネルの屋根と壁の外気が触れる部分は全て金属か不燃樹脂かガラスの為、発火はしない為、前記建築物での前記太陽光パネルの急速な普及に貢献する。
【００１１】
本発明は、前記太陽光パネルが発電としての利用価値が無くなっても簡単に取り付け・取外しができる事で低価格で建築物の屋根や壁等として再利用や前記太陽光パネルとして再生利用もする。
【００１２】
本発明は、前記太陽光パネルが急速な普及をする事で再生可能エネルギーが電気自動車（蓄電池）を含め日本の消費電力量の全てを発電供給する事を実現する。
【００１３】
本発明は、前記太陽光パネルの製造工程で発生する二酸化炭素（CO2）を別とすれば太陽光発電事態での二酸化炭素（CO2）の排出がゼロである為、前記太陽光パネルが急速な普及をする事で安全・安心な早期の低炭素社会の実現に貢献する。
【発明を実施するための形態】
【００１４】
以下では、本発明の実施の形態について図を参照して説明する。
図１は横４列縦６列の太陽光パネル（両面ガラス）（１）を屋根や壁として利用した時の参考の全体展開図を示す。
前記太陽光パネル（両面ガラス）（１）の１枚単位であれば自由に色々な形状の戸建住宅に組み込む事ができる。
前記太陽光パネル（両面ガラス）（１）とは太陽光パネルは太陽電池モジュール（モジュール）とも云い、１５cm×１５cm位のセルが複数枚碁盤目の様に配列され、表面を透明ガラスで裏面を白いシートで挟み、強度を増す為アルミ枠を取り付け、施工も遣り易くしている。
両面ガラスは表面も裏面も透明ガラスで挟み、構成された前記太陽光パネル（両面ガラス）（１）を云う。
前記太陽光パネル（両面ガラス）（１）には表面だけ発電するタイプと表面も裏面も発電するタイプがある。
前記太陽光パネル（両面ガラス）（１）のセルとセルの間、セルとアルミ枠の間は２mm〜３mm位隙間があり、両面ガラスの為、太陽の光を非常に多く通し易い構造に成っている。
前記太陽光パネル（両面ガラス）（１）の単位で蜂の巣の様に構成している為、前記太陽光パネル（両面ガラス）（１）の１枚単位であればどの様な設計も可能になる。
例えば、前記太陽光パネル（両面ガラス）（１）の代わりに玄関扉・ガラス窓・ステンドグラス・シャッター等の取り付けが可能である。
又、透明耐火性断熱材（ポリカーボネート）（６）の7層の一番室内側のポリカーボネート板に採光を妨げない程度に装飾用フィルム等を貼り、その戸建住宅の個性を出す事もできる。
図１２は前記太陽光パネル（両面ガラス）（１）を戸建住宅の屋根（１０）と戸建住宅の壁（１１）と戸建住宅のベランダ（１２）の柵に使用し、戸建住宅の窓（１４）が少なく戸建住宅の玄関（１３）から入った途端に明るい前記戸建住宅の全体外観展開図を示す。
図１３は前記太陽光パネル（両面ガラス）（１）の横４列縦６列の例を示し、屋根には色々な形の陸屋根や切妻屋根や寄棟屋根や方形屋根や片流れ屋根や入母屋やマンサードやのこぎり屋根やドーム屋根等の屋根形状が有るが前記太陽光パネル（両面ガラス）（１）が１枚単位で蜂の巣の様に構成され、その１枚単位であれば色々な形状の屋根に対応が可能な前記戸建住宅の屋根（１０）の切妻屋根の外部真上からの屋根全体外観図です。
図１４は前記戸建住宅に前記太陽光パネル（両面ガラス）（１）を屋根と壁とベランダに使用し快適な生活環境を提供する２階建ての前記戸建住宅の外部右側からの全体断面図です。
図１５は前記戸建住宅に前記太陽光パネル（両面ガラス）（１）を屋根に使用し完成後、天井がなく太陽の光が直接室内に適度に入り、建築の骨組みが見える建物室内の下から上を見た屋根全体図です。
【００１５】
図５ではアルミの平板（フラットバー）を平板の面積が大きい面を上下に額縁の様に前記太陽光パネル（両面ガラス）（１）と外径が同じに成る様に溶接加工された太陽光パネル取り付け冶具（２）の上部の前記アルミの平板（フラットバー）には図８の太陽光パネル上部引っ掛け金具１（１０１）を３箇所以上太陽光パネル上部引っ掛け金具１取付用穴（１０３）で取り付け、左右の前記アルミの平板（フラットバー）には図１０の太陽光パネル左右引っ掛け金具１（１０４）を左右対称に左右各２箇所以上太陽光パネル左右引っ掛け金具１取付用穴（１０６）で取り付け、下部の前記アルミの平板（フラットバー）には太陽光パネル下部取付ナット（１０７）を３箇所以上溶接で固定し、更に太陽光パネル取り付け冶具（２）の内側に侵入した雨水を排水する為、前記下部の前記アルミの平板（フラットバー）には太陽光パネル取り付け治具下部水抜き穴（１００）を設け、その前記太陽光パネル取り付け冶具（２）を市販の前記太陽光パネル（両面ガラス）（１）の取り付け穴にて太陽光パネル取り付け治具連結ボルト（１０８）で合体する。
その図５の前記太陽光パネル（両面ガラス）（１）と前記太陽光パネル取り付け冶具（２）が合体した物を横４列縦６列に蜂の巣の様に配置した配置図が図２である。
【００１６】
図７では前記戸建住宅の建設方法は基礎を施工し、次に木造の基礎の柱を立ち上げ骨組みを組み、上棟になる。
その柱の骨組みの外側に大工さんの仕事で室内より取り付けるのが太陽光パネルの屋根と壁受け角材（５）です。
前記太陽光パネルの屋根と壁受け角材（５）は大工さんが工場で事前加工した物を現場で図４の様に蜂の巣の様に太陽光パネルの屋根と壁受け角材用内側補強リブ（４０１）を付けながら室内より組み上げる。
大工さんが工場で事前加工の中に太陽光パネル下部取付ボルト（防水タイプ）用貫通穴（４００）の穴加工と耐火性断熱材（ポリカーボネート）取付用埋め込みナット（４０２）の打ち込み作業がある。
【００１７】
図７では更に前記太陽光パネルの屋根と壁受け角材（５）の外側に板金工場にて太陽光パネル北側PV配線・空気流動用角パイプ（３０２）と太陽光パネル南側PV配線・空気流動用角パイプ（３０３）と太陽光パネル空気流動用丸パイプ（３０４）が取り付けられ幾つかの部位に加工された太陽光パネルPV配線・空気流動用角パイプ（４）を太陽光パネルPV配線・空気流動用角パイプ取付金具（３００）でビスにて図４の様に蜂の巣の様に前記太陽光パネルの屋根と壁受け角材（５）に室内より取り付け組み付ける。
前記太陽光パネルPV配線・空気流動用角パイプ（４）の側面には多くの太陽光パネルPV配線・空気流動用穴（３０１）が開けられ前記太陽光パネル（両面ガラス）（１）より出ているPV配線と延長用PV配線がコネクターにて接続され、前記太陽光パネルPV配線・空気流動用穴（３０１）から前記太陽光パネルPV配線・空気流動用角パイプ（４）に入り、前記太陽光パネル北側PV配線・空気流動用角パイプ（３０２）に集められ１階のパワーコンディショナまで通線し結線する。
【００１８】
図７では前記太陽光パネル北側PV配線・空気流動用角パイプ（３０２）と前記太陽光パネル南側PV配線・空気流動用角パイプ（３０３）の一階床下の先端入り口には空気流動用ファンがそれぞれに取り付けられ冷えた空気が上方に圧送され、前記太陽光パネルPV配線・空気流動用角パイプ（４）の前記太陽光パネルPV配線・空気流動用穴（３０１）より壁から屋根へと全体に広がり、一番高い場所に取り付けられている前記太陽光パネル空気流動用丸パイプ（３０４）の先端より排出され、夏場の暑い時期に使用する。
これにより前記太陽光パネル（両面ガラス）（１）の裏面が冷やされ前記戸建住宅の室内が冷やされ、更に、７月〜９月頃暑さで発電量が減る太陽光発電量も上昇する。
【００１９】
図６では図５で前記太陽光パネル（両面ガラス）（１）と合体した前記太陽光パネル取り付け治具（２）を防水・防塵・防滴・高断熱・高強度に受ける為、太陽光パネル受け冶具防水用額縁（２０９）の上部に３箇所以上太陽光パネル上部引っ掛け金具２取付用穴（２０２）で太陽光パネル上部引っ掛け金具２（２００）を取り付け、前記太陽光パネル受け冶具防水用額縁（２０９）の左右部に各２箇所以上太陽光パネル左右引っ掛け金具２取付用穴（２０５）で左右対称の太陽光パネル左右引っ掛け金具２（２０３）を取り付け、更に、前記太陽光パネル下部取付ボルト（防水タイプ）（２０８）と前記太陽光パネル受け冶具防水用額縁（２０９）と太陽光パネル受け冶具シリコンパッキン（２１０）と太陽光パネル受け冶具外周防水シリコンパッキン（２１１）と太陽光パネル受け冶具内周防水シリコンパッキン（２１２）と太陽光パネル受け冶具連結ボルト（２０６）と太陽光パネル受け冶具固定ボルト（２０７）で構成する太陽光パネル受け冶具（金属製・樹脂製）（３）です。
【００２０】
図６では前記太陽光パネル受け冶具（金属製・樹脂製）（３）は前記太陽光パネル上部引っ掛け金具２（２００）と前記太陽光パネル左右引っ掛け金具２（２０３）と前記太陽光パネル下部取付ボルト（防水タイプ）（２０８）で簡単にしっかりと前記太陽光パネル（両面ガラス）（１）に取り付いた前記太陽光パネル取り付け治具（２）と室内より合体できる。
【００２１】
図６では前記太陽光パネル受け冶具防水用額縁（２０９）に取り付けた長寿命で耐熱性が高い前記太陽光パネル受け冶具シリコンパッキン（２１０）が前記太陽光パネル（両面ガラス）（１）の内側に接触し、前記戸建住宅の内側を長期間に渡り防塵・防水にする。
【００２２】
図６では前記太陽光パネル受け冶具（金属製・樹脂製）（３）は前記太陽光パネル（両面ガラス）（１）と一対一で構成され、太陽光パネル受け冶具外周防水シリコンパッキン（２１１）用の溝と太陽光パネル受け冶具内周防水シリコンパッキン（２１２）用の溝とが凸凹になり前記太陽光パネル受け冶具（金属製・樹脂製）（３）の下側タイプと上側タイプを重ねた時に凸凹が噛合う様に成り、図３の様に下側タイプを１枚飛ばしに先に全部並べ、その１枚飛ばしの空いた場所に上側タイプを交互に外周を重ねていき凸凹が噛合い連結され、同様に一番外側の太陽光パネル受け冶具用外周立下り防水化粧材（２１３）も下側タイプと上側タイプで前記太陽光パネル受け冶具（金属製・樹脂製）（３）の下側タイプと上側タイプを交互に外周を重ねていき連結する。
前記太陽光パネル受け冶具外周防水シリコンパッキン（２１１）と前記太陽光パネル受け冶具内周防水シリコンパッキン（２１２）には前記太陽光パネル受け冶具（金属製・樹脂製）（３）の凸凹の形状によりOリングタイプや平板タイプや溝形タイプ等のシリコンパッキンを使用する。
【００２３】
図６では工場出荷前に前記太陽光パネル受け冶具用外周立下り防水化粧材（２１３）の雨水流れ出し方向に太陽光パネル受け冶具用外周立下り防水化粧材用雨樋取り付け金具（２１４）を取り付け出荷し現場作業を軽減し、現場で前記太陽光パネル受け冶具固定ボルト（２０７）でしっかりと前記戸建住宅内部の前記太陽光パネルPV配線・空気流動用角パイプ（４）と室内より合体できる。
そして図３の横４列縦６列の様に蜂の巣の様に組み付ける。
【００２４】
図８の前記太陽光パネル上部引っ掛け金具１（１０１）は前記太陽光パネル取り付け冶具（２）の前記上部のアルミの平板（フラットバー）に取り付き、図９の前記太陽光パネル上部引っ掛け金具２（２００）とは傾斜部にて接触し固定し、防水・防塵・防滴・高断熱・高強度を保つ。
【００２５】
図１０の前記太陽光パネル左右引っ掛け金具１（１０４）は前記太陽光パネル取り付け冶具（２）の前記左右のアルミの平板（フラットバー）に左右対称に取り付き、図１１の前記太陽光パネル左右引っ掛け金具２（２０３）とはL字型の太陽光パネル左右引っ掛け金具２ピン用溝（２０４）に太陽光パネル左右引っ掛け金具１ピン（１０５）が入り込む事で固定し、防水・防塵・防滴・高断熱・高強度を保つ。
【００２６】
図１で前記太陽光パネル（両面ガラス）（１）と合体した前記太陽光パネル取り付け治具（２）を前記太陽光パネル受け冶具（金属製・樹脂製）（３）に取り付けるには前記太陽光パネル（両面ガラス）（１）と合体した前記太陽光パネル取り付け治具（２）を前記太陽光パネル受け冶具（金属製・樹脂製）（３）と平行に移動し、前記太陽光パネル左右引っ掛け金具１ピン（１０５）がＬ字型をしている前記太陽光パネル左右引っ掛け金具２ピン用溝（２０４）に入る様に前記太陽光パネル受け冶具防水用額縁（２０９）に取り付いている前記太陽光パネル受け冶具シリコンパッキン（２１０）に押し付ける様にしながら下に下ろし、前記太陽光パネル上部引っ掛け金具１（１０１）の太陽光パネル上部引っ掛け金具１傾斜（１０２）と前記太陽光パネル上部引っ掛け金具２（２００）の太陽光パネル上部引っ掛け金具２傾斜（２０１）がしっくりとはまるまで下ろす。
その場所が前記太陽光パネル下部取付ナット（１０７）と前記太陽光パネル下部取付ボルト（防水タイプ）（２０８）が合う位置で室内より締め付け固定し、防水・防塵・防滴・高断熱・高強度を可能にする。
【００２７】
図７の透明中空ポリカーボネート（１０mm）を２０mm間隔で４層が組み付けられた透明耐火性断熱材（ポリカーボネート）（６）の外側部と前記透明中空ポリカーボネート（１０mm）を２０mm間隔で３層が組み付けられた透明耐火性断熱材（ポリカーボネート）（６）の内側部で構成され最初の外側部の4層を片側がボルトで反対側がナットの耐火性断熱材（ポリカーボネート）取付用ボルト／ナット（５００）で固定し、その上に内側部の３層を1枚ずつ前記耐火性断熱材（ポリカーボネート）取付用ボルト／ナット（５００）で更に前記耐火性断熱材（ポリカーボネート）取付用ボルト／ナット（５００）とボルトで室内より固定し、室内が大変明るく、熱伝導率はアルミニウム２１０W/（m・K）で板ガラス０．７８W/（m・K）で木材０．１４W/（m・K）で空気は０．０２W/（m・K）であり全建材の中でも空気が最小で、そして空気の熱抵抗は空気層の厚さが２０〜３０mmが一番大きく２０mmの空気層を７層重ねている為、断熱気密性（計算値では熱還流率UA値０．３５W/平方メートル・K）が高く、耐火性に優れ長寿命に使用でき前記戸建住宅の屋根（１０）や前記戸建住宅の壁（１１）に利用する。
【００２８】
本発明では前記太陽光パネル（両面ガラス）（１）をいろいろな多くの建築物（戸建住宅や高層ビルや植物栽培ハウスを含む）の屋根や壁として利用し、断熱気密性（計算値では熱還流率UA値０．３５W/平方メートル・K）が高い住宅や太陽光発電にも利用でき、前記戸建住宅の屋根（１０）や前記戸建住宅の壁（１１）として利用し、工場で加工されたそれぞれの部位を現場で室内より組み付ける事が施工時間を極端に少なくし、前記戸建住宅の内側から屋根と壁の施工を折りたたみ式の仮足場を前記太陽光パネル（両面ガラス）（１）の取り付け枠に引っ掛けて外部の作業が簡単に出来る為、外部の工事用仮設足場が不要になり安全で施工費用を低コストにし、総合的には建設費を抑え、採光用のガラス窓が必要としない位室内が明るい家になり、前記太陽光パネル（両面ガラス）（１）が発電としての利用価値が無くなっても簡単に取り付け・取外しができる事で低価格で建築物の屋根や壁等として再利用や前記太陽光パネルとして再生利用もでき、前記太陽光パネル（両面ガラス）（１）が急速な普及をする事で再生可能エネルギーが蓄電池を含め日本の消費電力量の全てを発電供給する事を実現する。
更に、前記太陽光パネル（両面ガラス）（１）の製造工程を別とすれば太陽光発電事態での二酸化炭素（CO2）の排出がゼロである為、前記太陽光パネルが急速な普及をする事で早期の低炭素社会の実現に貢献する。
【図面の簡単な説明】
【００２９】
【図１】図１は太陽光パネル（両面ガラス）（１）を横４列縦６列の場合で屋根や壁として組み付けた時の全体展開図である。
【図２】図２は太陽光パネル（両面ガラス）（１）と太陽光パネル取り付け冶具（２）を横４列縦６列の場合で屋根や壁として取り付けた全構成を示した展開図である。
【図３】図３は太陽光パネル受け冶具（金属製・樹脂製）（３）を横４列縦６列の場合で屋根や壁として取り付けた全構成を示した展開図である。
【図４】図４は太陽光パネルPV配線・空気流動用角パイプ（４）と太陽光パネルの屋根と壁受け角材（５）と耐火性断熱材（ポリカーボネート）（６）を横４列縦６列の場合で屋根や壁として取り付けた全構成を示した展開図である。
【図５】図５は太陽光パネル（両面ガラス）（１）と太陽光パネル取り付け冶具（２）を屋根や壁として取り付ける一組を示した展開図である。
【図６】図６は太陽光パネル受け冶具（金属製・樹脂製）（３）を屋根や壁として取り付ける一組を示した展開図である。
【図７】図７は太陽光パネルPV配線・空気流動用角パイプ（４）と太陽光パネルの屋根と壁受け角材（５）と耐火性断熱材（ポリカーボネート）（６）を屋根や壁として取り付ける一組を示した展開図である。
【図８】図８は太陽光パネル（両面ガラス）（１）に取り付けられる太陽光パネル取り付け冶具（２）に取り付けられる太陽光パネル上部引っ掛け金具１（１０１）の展開図である。
【図９】図９は太陽光パネル受け冶具（金属製・樹脂製）（３）に取り付けられる太陽光パネル上部引っ掛け金具２（２００）の展開図である。
【図１０】図１０は太陽光パネル（両面ガラス）（１）に取り付けられる太陽光パネル取り付け冶具（２）に取り付けられる左右対称になる太陽光パネル左右引っ掛け金具１（１０４）の展開図である。
【図１１】図１１は太陽光パネル受け冶具（金属製・樹脂製）（３）に取り付けられる左右対称になる太陽光パネル左右引っ掛け金具２（２０３）の展開図である。
【図１２】図１２は戸建住宅の全体外観展開図である。
【図１３】図１３は戸建住宅の太陽光パネル（両面ガラス）（１）の外部真上からの屋根全体外観図である。
【図１４】図１４は戸建住宅の太陽光パネル（両面ガラス）（１）の外部右側からの全体断面図である。
【図１５】図１５は戸建住宅の太陽光パネル（両面ガラス）（１）の建物室内の下から上を見た屋根全体図である。
【符号の説明】
【００３０】
１       太陽光パネル（両面ガラス）
２       太陽光パネル取り付け冶具
３       太陽光パネル受け冶具（金属製・樹脂製）
４       太陽光パネルPV配線・空気流動用角パイプ
５       太陽光パネルの屋根と壁受け角材
６       透明耐火性断熱材（ポリカーボネート）
１０     戸建住宅の屋根
１１     戸建住宅の壁
１２     戸建住宅のベランダ
１３     戸建住宅の玄関
１４     戸建住宅の窓
１００   太陽光パネル取り付け治具下部水抜き穴
１０１   太陽光パネル上部引っ掛け金具１
１０２   太陽光パネル上部引っ掛け金具１傾斜
１０３   太陽光パネル上部引っ掛け金具１取付用穴
１０４   太陽光パネル左右引っ掛け金具１
１０５   太陽光パネル左右引っ掛け金具１ピン
１０６   太陽光パネル左右引っ掛け金具１取付用穴
１０７   太陽光パネル下部取付ナット
１０８   太陽光パネル取り付け治具連結ボルト
２００   太陽光パネル上部引っ掛け金具２
２０１   太陽光パネル上部引っ掛け金具２傾斜
２０２   太陽光パネル上部引っ掛け金具２取付用穴
２０３   太陽光パネル左右引っ掛け金具２
２０４   太陽光パネル左右引っ掛け金具２ピン用溝
２０５   太陽光パネル左右引っ掛け金具２取付用穴
２０６   太陽光パネル受け冶具連結ボルト
２０７  太陽光パネル受け冶具固定ボルト
２０８   太陽光パネル下部取付ボルト（防水タイプ）
２０９   太陽光パネル受け冶具防水用額縁
２１０   太陽光パネル受け冶具シリコンパッキン
２１１   太陽光パネル受け冶具外周防水シリコンパッキン
２１２   太陽光パネル受け冶具内周防水シリコンパッキン
２１３   太陽光パネル受け冶具用外周立下り防水化粧材
２１４   太陽光パネル受け冶具用外周立下り防水化粧材用雨樋取り付け金具
３００   太陽光パネルPV配線・空気流動用角パイプ取付金具
３０１   太陽光パネルPV配線・空気流動用穴
３０２   太陽光パネル北側PV配線・空気流動用角パイプ
３０３   太陽光パネル南側PV配線・空気流動用角パイプ
３０４   太陽光パネル空気流動用丸パイプ
４００   太陽光パネル下部取付ボルト（防水タイプ）用貫通穴
４０１   太陽光パネルの屋根と壁受け角材用内側補強リブ
４０２   耐火性断熱材（ポリカーボネート）取付用埋め込みナット
５００   耐火性断熱材（ポリカーボネート）取付用ボルト／ナット
【図１】
2018193822.tif 000003
【図２】
2018193822.tif 000004
【図３】
2018193822.tif 000005
【図４】
2018193822.tif 000006
【図５】
2018193822.tif 000007
【図６】
2018193822.tif 000008
【図７】
2018193822.tif 000009
【図８】
2018193822.tif 000010
【図９】
2018193822.tif 000011
【図１０】
2018193822.tif 000012
【図１１】
2018193822.tif 000013
【図１２】
2018193822.tif 000014
【図１３】
2018193822.tif 000015
【図１４】
2018193822.tif 000016
【図１５】
2018193822.tif 000017